(57)【要約】【課題】採血を中止する場合、供血者の負担を軽減することができ、また、採取対象の血液成分が無駄になるのを防止することができる血液成分採取装置を提供する。【解決手段】血液成分採取装置１は、血液成分採取回路２を有している。血液成分採取回路２は、遠心分離器２０、採血針２９を有する第１のライン２１、第２のライン２２、第３のライン２３、血漿採取バッグ２５、エアーバッグ２７ｂ、中間バッグ２７ａ、血小板採取バッグ２６、白血球除去フィルター２６１およびバッグ２８を備えている。そして、この血液成分採取装置１は、供血者からの血液の採取を中止する場合、採取した採取対象の血液成分をほぼ全部供血者に返還し得るように構成されている。【選択図】図２
2006000257.tif 000002
【特許請求の範囲】
【請求項１】
供血者から血液を採取する採血手段と、
前記採血手段により採取された血液を遠心分離する遠心分離器と、
前記遠心分離器により分離された所定の血液成分を採取する血液成分採取バッグとを備える血液成分採取回路を有し、
採取した血液を遠心分離し、前記所定の血液成分を採取して、残りの血液成分を前記供血者に返還する血液成分採取装置であって、
前記供血者からの血液の採取を中止する場合、前記採取した採取対象の血液成分をほぼ全部前記供血者に返還し得るように構成されていることを特徴とする血液成分採取装置。
【請求項２】
当該血液成分採取装置は、主に、血小板または血漿を採取する装置である請求項１に記載の血液成分採取装置。
【請求項３】
供血者から血液を採取する採血手段と、
前記採血手段により採取された血液を遠心分離する遠心分離器と、
前記遠心分離器により分離された複数種の所定の血液成分を採取する複数の血液成分採取バッグとを備える血液成分採取回路を有し、
採取した血液を遠心分離し、少なくとも１種の前記所定の血液成分を採取して、残りの血液成分を前記供血者に返還する血液成分採取装置であって、
前記供血者からの血液の採取を中止する場合、前記採取した採取対象の血液成分のうち、少なくとも１種の採取対象の血液成分をほぼ全部前記供血者に返還し得るように構成されていることを特徴とする血液成分採取装置。
【請求項４】
前記供血者からの血液の採取を中止する場合、前記採取した採取対象の血液成分のうちから前記供血者に返還する少なくとも１種の採取対象の血液成分を選択し得るように構成されている請求項３に記載の血液成分採取装置。
【請求項５】
当該血液成分採取装置は、主に、血小板および血漿を採取し得る装置である請求項３または４に記載の血液成分採取装置。
【請求項６】
前記供血者からの血液の採取を中止する場合において前記採取対象の血液成分をほぼ全部供血者に返還する処理を行なうか否かを選択し得るように構成されている請求項１ないし５のいずれかに記載の血液成分採取装置。
【請求項７】
前記供血者からの血液の採取を中止する場合、前記残りの血液成分を前記供血者に返還するように構成されている請求項１ないし６のいずれかに記載の血液成分採取装置。
【請求項８】
当該血液成分採取装置は、採取した血液を遠心分離し、前記所定の血液成分を採取する血液成分採取工程と、残りの血液成分を返還する血液成分返還工程とを有する血液成分採取操作を少なくとも１サイクル行うものである請求項１ないし７のいずれかに記載の血液成分採取装置。
【請求項９】
前記供血者からの血液の採取を中止する処理を各サイクル毎に行うことが可能なように構成されている請求項８に記載の血液成分採取装置。
【請求項１０】
血液成分中から所定の細胞を分離除去する細胞分離フィルターを有し、
前記供血者からの血液の採取を中止する場合において、前記供血者に返還する採取対象の血液成分のうち、前記細胞分離フィルター内を通過したものについては、前記供血者に返還しないように構成されている請求項１ないし９のいずれかに記載の血液成分採取装置。
【請求項１１】
当該血液成分採取装置を使用する際は、前記血液成分採取バッグは、前記採取対象の血液成分をほぼ全部供血者に返還する際の前記血液成分採取バッグの血液成分の出口側が鉛直方向下方になるように設けられる請求項１ないし１０のいずれかに記載の血液成分採取装置。
【請求項１２】
当該血液成分採取装置を使用する際は、前記血液成分採取バッグは、前記遠心分離器より鉛直方向上方に位置し、
前記採取対象の血液成分をほぼ全部供血者に返還する際、該採取対象の血液成分は、前記遠心分離器を経由して前記供血者に返還される請求項１ないし１１のいずれかに記載の血液成分採取装置。
【発明の詳細な説明】
【技術分野】
【０００１】
本発明は、血液成分採取装置に関するものである。
【背景技術】
【０００２】
採血を行う場合、血液の有効利用および供血者の負担軽減などの理由から、採血血液を遠心分離などにより各血液成分に分離し、輸血者に必要な成分だけを採取し、その他の成分は供血者に返還する成分採血が行われている。
【０００３】
このような成分採血において、例えば血小板製剤を得る場合、供血者から採血した血液を血液成分採取回路に導入し、該血液成分採取回路に設置された遠心ボウルと呼ばれる遠心分離器により、血漿、バフィーコートおよび赤血球に分離し、その内のバフィーコートから血小板（所定の血液成分）を分離し、容器に回収して血小板製剤とし、残りの血漿、白血球および赤血球は、供血者に返血することが行われる（例えば、特許文献１参照）。
【０００４】
ところで、例えば、採血の途中で供血者の体調が悪くなったとき、血小板の取れ具合が悪いとき、血小板に赤血球が混入するとき等、必要に応じて採血を途中で中止することがある。
【０００５】
しかしながら、従来の血液成分採取装置では、採血を途中で中止する場合、採取対象の血液成分である血小板製剤は、容器に回収したままにし、採取対象ではない血液成分である血漿、白血球および赤血球のみを供血者に返血するので、供血者への負担が大きく、また、採取された血小板製剤において、血小板数が不足し、目的の血小板製剤を得ることができず、採取した血小板製剤が無駄になってしまうことがある。
【０００６】
【特許文献１】特表平８−５０９４０３号公報
【発明の開示】
【発明が解決しようとする課題】
【０００７】
本発明の目的は、採血を中止する場合、供血者の負担を軽減することができ、また、採取対象の血液成分が無駄になるのを防止することができる血液成分採取装置を提供することにある。
【課題を解決するための手段】
【０００８】
このような目的は、下記（１）〜（１２）の本発明により達成される。
（１）  供血者から血液を採取する採血手段と、
前記採血手段により採取された血液を遠心分離する遠心分離器と、
前記遠心分離器により分離された所定の血液成分を採取する血液成分採取バッグとを備える血液成分採取回路を有し、
採取した血液を遠心分離し、前記所定の血液成分を採取して、残りの血液成分を前記供血者に返還する血液成分採取装置であって、
前記供血者からの血液の採取を中止する場合、前記採取した採取対象の血液成分をほぼ全部前記供血者に返還し得るように構成されていることを特徴とする血液成分採取装置。
【０００９】
（２）  当該血液成分採取装置は、主に、血小板または血漿を採取する装置である上記（１）に記載の血液成分採取装置。
【００１０】
（３）  供血者から血液を採取する採血手段と、
前記採血手段により採取された血液を遠心分離する遠心分離器と、
前記遠心分離器により分離された複数種の所定の血液成分を採取する複数の血液成分採取バッグとを備える血液成分採取回路を有し、
採取した血液を遠心分離し、少なくとも１種の前記所定の血液成分を採取して、残りの血液成分を前記供血者に返還する血液成分採取装置であって、
前記供血者からの血液の採取を中止する場合、前記採取した採取対象の血液成分のうち、少なくとも１種の採取対象の血液成分をほぼ全部前記供血者に返還し得るように構成されていることを特徴とする血液成分採取装置。
【００１１】
（４）  前記供血者からの血液の採取を中止する場合、前記採取した採取対象の血液成分のうちから前記供血者に返還する少なくとも１種の採取対象の血液成分を選択し得るように構成されている上記（３）に記載の血液成分採取装置。
【００１２】
（５）  当該血液成分採取装置は、主に、血小板および血漿を採取し得る装置である上記（３）または（４）に記載の血液成分採取装置。
【００１３】
（６）  前記供血者からの血液の採取を中止する場合において前記採取対象の血液成分をほぼ全部供血者に返還する処理を行なうか否かを選択し得るように構成されている上記（１）ないし（５）のいずれかに記載の血液成分採取装置。
【００１４】
（７）  前記供血者からの血液の採取を中止する場合、前記残りの血液成分を前記供血者に返還するように構成されている上記（１）ないし（６）のいずれかに記載の血液成分採取装置。
【００１５】
（８）  当該血液成分採取装置は、採取した血液を遠心分離し、前記所定の血液成分を採取する血液成分採取工程と、残りの血液成分を返還する血液成分返還工程とを有する血液成分採取操作を少なくとも１サイクル行うものである上記（１）ないし（７）のいずれかに記載の血液成分採取装置。
【００１６】
（９）  前記供血者からの血液の採取を中止する処理を各サイクル毎に行うことが可能なように構成されている上記（８）に記載の血液成分採取装置。
【００１７】
（１０）  血液成分中から所定の細胞を分離除去する細胞分離フィルターを有し、
前記供血者からの血液の採取を中止する場合において、前記供血者に返還する採取対象の血液成分のうち、前記細胞分離フィルター内を通過したものについては、前記供血者に返還しないように構成されている上記（１）ないし（９）のいずれかに記載の血液成分採取装置。
【００１８】
（１１）  当該血液成分採取装置を使用する際は、前記血液成分採取バッグは、前記採取対象の血液成分をほぼ全部供血者に返還する際の前記血液成分採取バッグの血液成分の出口側が鉛直方向下方になるように設けられる上記（１）ないし（１０）のいずれかに記載の血液成分採取装置。
【００１９】
（１２）  当該血液成分採取装置を使用する際は、前記血液成分採取バッグは、前記遠心分離器より鉛直方向上方に位置し、
前記採取対象の血液成分をほぼ全部供血者に返還する際、該採取対象の血液成分は、前記遠心分離器を経由して前記供血者に返還される上記（１）ないし（１１）のいずれかに記載の血液成分採取装置。
【発明の効果】
【００２０】
本発明によれば、採血を中止する場合、必要に応じて、自動的に、採取対象の血液成分をほぼ全部供血者に返還することができ、これにより供血者の負担を軽減することができる。
【００２１】
例えば採血により供血者の体調が悪くなった場合は、採取対象ではない血液成分のみならず、採取対象の血液成分を供血者に返還することにより、供血者の負担を軽減し、その体調を回復させることができる。
【００２２】
また、採取対象の血液成分を供血者に返還することにより、採取対象の血液成分が無駄になるのを防止することができる。
【発明を実施するための最良の形態】
【００２３】
以下、本発明の血液成分採取装置を添付図面に示す好適実施形態に基づいて詳細に説明する。
【００２４】
図１は、本発明の血液成分採取装置の実施形態を示す斜視図、図２は、本発明の血液成分採取装置の実施形態を示す平面図、図３は、図１および図２に示す血液成分採取装置が備える遠心分離器駆動装置に遠心分離器が装着された状態の部分破断断面図であり、図４および図５は、それぞれ、図１および図２に示す血液成分採取装置の作用を説明するためのフローチャートである。
【００２５】
図１および図２に示す血液成分採取装置１は、血液を複数の血液成分に分離するとともに分離された血液成分を採取、本実施形態では、血小板（血小板を含む血漿）と、血漿とのうちのいずれか一方または両方（特に、血小板）を採取するための装置である。この血液成分採取装置１は、装置本体３と、装置本体３に対して着脱自在に設けられる血液成分採取回路（採取回路）２とを備えている。
【００２６】
血液成分採取回路２は、内部に貯血空間１４６を有するローター１４２と、貯血空間１４６に連通する流入口１４３および排出口（流出口）１４４とを有し、ローター１４２の回転により流入口１４３より導入された血液を貯血空間１４６内で遠心分離する遠心分離器２０と、採血針（採血手段）２９と遠心分離器２０の流入口１４３とを接続する第１のライン２１と、遠心分離器２０の排出口１４４に接続された第２のライン２２と、第１のライン２１に接続された第３のライン２３と、チューブ４９および５０を介して第１のライン２１に接続され、かつチューブ４３および４４を介して第２のライン２２に接続された血漿採取バッグ（採取バッグ）２５と、チューブ４２を介して第２のライン２２に接続されたエアーバッグ２７ｂと、チューブ４３および４５を介して第２のライン２２に接続された中間バッグ（一時貯留バッグ）（採取バッグ）２７ａと、チューブ４６、４７および４８を介して中間バッグ２７ａに接続された血小板採取バッグ（採取バッグ）２６と、チューブ５１を介して血小板採取バッグ２６に接続されたバッグ２８とを有している。
【００２７】
また、装置本体３は、遠心分離器２０のローター１４２を回転させるための遠心分離器駆動装置１０と、第１のライン２１のための第１の送液ポンプ１１と、第３のライン２３のための第２の送液ポンプ１２と、血液成分採取回路２の流路の途中を開閉し得る複数（本実施形態では、第１〜第７の７個）の流路開閉手段８１、８２、８３、８４、８５、８６、８７と、遠心分離器駆動装置１０、第１の送液ポンプ１１、第２の送液ポンプ１２および複数の流路開閉手段８１〜８７を制御するための制御部（制御手段）１３と、濁度センサ（血小板濃度センサ）１４と、光学式センサ１５と、重量センサ１６と、複数（本実施形態では、６個）の気泡センサ３１、３２、３３、３４、３５、３６とを備えている。
【００２８】
そこで、最初に、血液成分採取回路２について説明する。
この血液成分採取回路２は、ドナー（供血者）から血液を採取する採血針（採血手段）２９と遠心分離器２０の流入口１４３とを接続し、第１のポンプチューブ２１ｇを備える第１のライン（採血および返血ライン）２１と、一端側が遠心分離器２０の排出口（流出口）１４４に接続された第２のライン２２と、第１のライン２１の採血針２９の近くに接続され、第２のポンプチューブ２３ａを備える第３のライン（抗凝固剤注入ライン）２３と、第１のライン２１のポンプチューブ２１ｇより採血針２９側に接続されたチューブ５０と、チューブ５０に接続されたチューブ４９と、第２のライン２２に接続されたチューブ４３と、チューブ４３に接続されたチューブ４４と、チューブ４４および４９に接続された血漿採取バッグ２５と、第２のライン２２に接続されたチューブ４２と、チューブ４２に接続されたエアーバッグ２７ｂと、チューブ４３に接続されたチューブ４５と、チューブ４５に接続された中間バッグ２７ａと、中間バッグ２７ａに接続されたチューブ４６と、チューブ４６に接続されたチューブ４７と、チューブ４８と、チューブ４８に接続された血小板採取バッグ２６と、血小板採取バッグ２６に接続されたチューブ５１と、チューブ５１に接続されたバッグ２８とを備えている。エアーバッグ２７ｂと中間バッグ２７ａとは、一体的に形成（一体化）されている。
【００２９】
第１のライン２１は、採血針２９が接続された採血針側第１ライン２１ａと、一端側が採血針側第１ライン２１ａに接続され、他端側が遠心分離器２０の流入口１４３に接続された遠心分離器側第１ライン２１ｂとを有している。採血針２９としては、例えば、公知の金属針が使用される。
【００３０】
この採血針側第１ライン２１ａ、遠心分離器側第１ライン２１ｂ、後述する第２のライン２２、第３のライン２３は、それぞれ、軟質樹脂製チューブ、または、その軟質樹脂製チューブが複数接続されて形成されている。
【００３１】
採血針側第１ライン２１ａは、採血針２９側より、第３のライン２３との接続用分岐コネクター２１ｃと、気泡およびマイクロアグリゲート除去のためのチャンバー２１ｄと、チューブ５０との接続用分岐コネクター２１ｆとを備えている。
【００３２】
また、採血針側第１ライン２１ａに沿って、採血針２９側より、気泡センサ３５、３６および３２が設置されている。この場合、気泡センサ３５および３６は、分岐コネクター２１ｃとチャンバー２１ｄとの間に配置され、気泡センサ３２は、チャンバー２１ｄと分岐コネクター２１ｆとの間に配置されている。
【００３３】
また、チャンバー２１ｄには、チューブ２１ｈを介して通気性かつ菌不透過性のフィルター２１ｉが接続されている。このラインは、例えば、採血針側第１ライン２１ａの内圧の検出等に用いることができる。
【００３４】
一方、遠心分離器側第１ライン２１ｂは、チューブ５０との接続用分岐コネクター２１ｆに接続されており、その途中に形成された第１のポンプチューブ２１ｇを有している。
【００３５】
第２のライン２２は、その一端側が遠心分離器２０の排出口１４４に接続されている。
この第２のライン２２は、チューブ４２および４３との接続用分岐コネクター２２ｂとを備えている。
【００３６】
また、第２のライン２２に沿って、遠心分離器２０側より、濁度センサ１４および気泡センサ３４が設置されている。この場合、濁度センサ１４および気泡センサ３４は、遠心分離器２０と分岐コネクター２２ｂとの間に配置されている。
【００３７】
また、分岐コネクター２２ｂには、チューブ４１を介して通気性かつ菌不透過性のフィルター２２ｆが接続されている。このラインは、例えば、第２のライン２２の内圧の検出等に用いることができる。
【００３８】
第３のライン２３は、その一端が第１のライン２１に設けられた接続用分岐コネクター２１ｃに接続されている。すなわち、第３のライン（流路）２３は、分岐コネクター（分岐部）２１ｃを介して第１のライン（流路）２１から分岐している。また、分岐コネクター２１ｃは、採血針２９の近傍に位置している（設けられている）。
【００３９】
この第３のライン２３は、分岐コネクター２１ｃ側より、第２のポンプチューブ２３ａと、除菌フィルター（異物除去用フィルター）２３ｂと、気泡除去用チャンバー２３ｃと、抗凝固剤容器接続用針２３ｄとを備えている。
【００４０】
また、第３のライン２３に沿って、気泡センサ３１が設置されている。この気泡センサ３１は、分岐コネクター２１ｃと第２のポンプチューブ２３ａとの間に配置されている。
【００４１】
この第３のライン２３の抗凝固剤容器接続用針２３ｄは、抗凝固剤（抗凝固剤液）が収納（収容）されたバッグ（容器）６１に接続され、これにより、容器内の抗凝固剤は、後述するように、抗凝固剤容器接続用針２３ｄから分岐コネクター２１ｃに向かって第３のライン２３を流れ、採血針側第１ライン２１ａに供給（注入）される。これにより、例えば、第３のライン２３を介して、採血針２９により採取された血液に抗凝固剤を添加（混合）することができる。
【００４２】
なお、抗凝固剤としては、特に限定されないが、例えば、ＡＣＤ−Ａ液等を用いることができる。
【００４３】
血液成分採取バッグである血漿採取バッグ（第３の容器）２５は、血漿（第２の血液成分）を採取（貯留）するための容器である。チューブ４９の一端は、この血漿採取バッグ２５に接続され、その途中に接続用分岐コネクター２２ｄが設けられている。そして、チューブ５０の一端は、この分岐コネクター２２ｄに接続され、他端は、分岐コネクター２１ｆに接続されている。
【００４４】
また、チューブ４３の一端は、分岐コネクター２２ｂに接続され、その他端には、接続用分岐コネクター２２ｃが設けられている。そして、チューブ４４の一端は、この分岐コネクター２２ｃに接続され、他端は、血漿採取バッグ２５に接続されている。
【００４５】
また、チューブ４６の途中には、そのチューブ４６に沿って、気泡センサ３３が設置されている。
【００４６】
なお、血漿採取バッグ２５、チューブ４３および４４により、血漿を採取する血漿採取用分岐ラインが構成されている。
【００４７】
血液成分採取バッグである血小板（血小板製剤）採取バッグ（第２の容器）２６は、後述する白血球除去フィルター２６１を通過した後の血小板を含む血漿（第１の血液成分）を採取（貯留）するための容器である。なお、以下の説明では、血小板を含む血漿（第１の血液成分）を、「濃厚血小板」と言い、血小板採取バッグ２６内に採取（貯留）された濃厚血小板を、「血小板製剤」と言う。
【００４８】
チューブ５１の一端は、この血小板採取バッグ２６に接続され、その他端にはバッグ２８が接続されている。
【００４９】
エアーバッグ２７ｂは、空気（エアー）を一時的に収納（貯留）するための容器である。
【００５０】
後述する採血の際は、遠心分離器２０の貯血空間１４６内等の血液成分採取回路２内の空気（滅菌空気）は、このエアーバッグ２７ｂ内に移送され、収納される。そして、返血工程（血液成分返還工程）の際、エアーバッグ２７ｂ内に収納されている空気は、遠心分離器２０の貯血空間１４６内に移送され、戻される。これにより、所定の血液成分が、ドナーへ返還される。
【００５１】
チューブ４２の一端は、分岐コネクター２２ｂに接続され、他端は、このエアーバッグ２７ｂに接続されている。
【００５２】
血液成分採取バッグである中間バッグ（一時貯留バッグ）（第１の容器）２７ａは、濃厚血小板（第１の血液成分）を採取（一時的に貯留）するための容器（貯留部）である。チューブ４５の一端は、分岐コネクター２２ｃに接続され、他端は、この中間バッグ２７ａに接続されている。
【００５３】
また、チューブ４６の一端は、この中間バッグ２７ａに接続され、その他端には、接続用分岐コネクター２２ｅが設けられている。前記チューブ４９の他端は、この分岐コネクター２２ｅに接続されている。
【００５４】
また、接続用分岐コネクター２２ｅには、チューブ４７の一端が接続され、このチューブ４７の途中には、濃厚血小板中から白血球（所定の細胞）を分離除去する白血球除去フィルター（細胞分離フィルター）（濾過器）２６１が設置されている。
【００５５】
また、チューブ４７の他端には、接続用分岐コネクター２２ｇが設けらており、一端が前記血小板採取バッグ２６に接続されたチューブ４８の他端が、この分岐コネクター２２ｇに接続されている。
【００５６】
また、分岐コネクター２２ｇのポートには、ベントフィルターが設けられたフィルター本体およびキャップを備えたフィルター２２ｈが設置されている。
【００５７】
ここで、チューブ４６および４７は、中間バッグ２７ａから白血球除去フィルター２６１に濃厚血小板を供給する供給用チューブを構成し、また、チューブ４８は、白血球除去フィルター２６１から白血球を分離除去した後の濃厚血小板を排出する（血小板採取バッグ２６に供給する）排出用チューブを構成する。
【００５８】
すなわち、チューブ４６、４７、４８、中間バッグ２７ａ、白血球除去フィルター２６１および血小板採取バッグ２６により、濃厚血小板から白血球を分離除去する濾過ラインが構成されている。
【００５９】
血液成分採取装置１を組み立てた状態で（血液成分採取装置１を使用する際）、これらの中間バッグ２７ａ、白血球除去フィルター２６１、血小板採取バッグ２６および血漿採取バッグ２５は、それぞれ、中間バッグ２７ａが血漿採取バッグ２５より低い位置（鉛直方向下方）に、白血球除去フィルター２６１が中間バッグ２７ａより低い位置に、さらに、血小板採取バッグ２６が白血球除去フィルター２６１より低い位置にセットされる（位置する）。そして、中間バッグ２７ａおよび血漿採取バッグ２５は、それぞれ、遠心分離器２０のローター１４２の貯血空間１４６より高い位置（鉛直方向上方）に位置する。
【００６０】
この場合、装置本体３には、血漿採取バッグ２５と、中間バッグ２７ａおよびエアーバッグ２７ｂと、バッグ６１とを着脱自在に支持する支持部であるハンガー（フック）３０１、３０２および３０３が、それぞれ、設けられている。そして、血漿採取バッグ２５は、血漿（採取対象の血液成分）をほぼ全部ドナー（供血者）に返還する際の血漿採取バッグ２５の血漿の出口側が鉛直方向下方になるように、ハンガー３０１に引っ掛けられ、吊り下げられる（吊られる）。同様に、中間バッグ２７ａは、濃厚血小板（採取対象の血液成分）をほぼ全部ドナーに返還する際の中間バッグ２７ａの濃厚血小板の出口側が鉛直方向下方になるように、ハンガー３０２に引っ掛けられ、吊り下げられる。また、バッグ６１は、抗凝固剤（抗凝固剤液）の出口側が鉛直方向下方になるように、ハンガー３０３に引っ掛けられ、吊り下げられる。
【００６１】
また、白血球除去フィルター２６１としては、例えば、両端に流入口および排出口を有するケーシング内に、例えば、ポリプロピレン、ポリエステル、ポリウレタン、ポリアミド等の合成樹脂よりなる織布、不織布、メッシュ、発泡体等の多孔質体を１層または２層以上積層した濾過部材を挿入して構成したもの等を用いることができる。
【００６２】
上述した第１〜第３のライン２１〜２３の形成に使用される各チューブ、各ポンプチューブ２１ｇ、２３ａ、さらに、その他の各チューブ４１〜５１、２１ｈの構成材料としては、それぞれ、ポリ塩化ビニルが好ましい。
【００６３】
これらのチューブがポリ塩化ビニル製であれば、十分な可撓性、柔軟性が得られるので取り扱いがし易く、また、クレンメ等による閉塞にも適するからである。
【００６４】
また、上述した各分岐コネクター２１ｃ、２１ｆ、２２ｂ、２２ｃ、２２ｄ、２２ｅ、２２ｇの構成材料についても、それぞれ、前記チューブで挙げた構成材料と同様のものを用いることができる。
【００６５】
なお、各ポンプチューブ２１ｇ、２３ａとしては、それぞれ、後述する各送液ポンプ（例えば、ローラーポンプ等）１１、１２により押圧されても損傷を受けない程度の強度を備えるものが使用されている。
【００６６】
血漿採取バッグ２５、血小板採取バッグ２６、中間バッグ２７ａ、エアーバッグ２７ｂ、バッグ２８および６１は、それぞれ、樹脂製の可撓性を有するシート材を重ね、その周縁部を融着（熱融着、高周波融着、超音波融着等）または接着剤により接着等して袋状にしたものが使用される。なお、前述したように、エアーバッグ２７ｂと中間バッグ２７ａとは、一体的に形成（一体化）されている。
【００６７】
各バッグ２５、２６、２７ａ、２７ｂ、２８、６１に使用される材料としては、それぞれ、例えば、軟質ポリ塩化ビニルが好適に使用される。
【００６８】
なお、血小板採取バッグ２６に使用されるシート材としては、血小板保存性を向上するためにガス透過性に優れるものを用いることがより好ましい。
【００６９】
このようなシート材としては、例えば、ポリオレフィンやＤｎＤＰ可塑化ポリ塩化ビニル等を用いること、また、このような素材を用いることなく、上述したような材料のシート材を用い、厚さを比較的薄く（例えば、０．１〜０．５ｍｍ程度、特に、０．１〜０．３ｍｍ程度）したものが好適である。
【００７０】
このような血液成分採取回路２の主要部分は、例えば、カセット式となっている。すなわち、血液成分採取回路２は、各ライン（第１のライン２１、第２のライン２２、第３のライン２３）および所定の各チューブを部分的に収納し、かつ部分的にそれらを保持し、言い換えれば、部分的にそれらが固定されたカセットハウジング７０を備えている。
【００７１】
このカセットハウジング７０には、第１のポンプチューブ２１ｇの両端および第２のポンプチューブ２３ａの両端が固定され、これらのポンプチューブ２１ｇ、２３ａは、それぞれ、カセットハウジング７０より、各送液ポンプ（例えば、ローラーポンプ等）１１、１２の形状に対応したループ状に突出している。このため、第１および第２のポンプチューブ２１ｇ、２３ａは、それぞれ、各送液ポンプ１１、１２への装着が容易である。また、このカセットハウジング７０には、後述する各流路開閉手段８１〜８７の構成要素の一部等が設置される。
【００７２】
血液成分採取回路２に設けられている遠心分離器２０は、通常、遠心ボウルと呼ばれており、遠心力により血液を複数の血液成分に分離する。
【００７３】
遠心分離器２０は、図３に示すように、上端に流入口１４３が形成された鉛直方向に伸びる管体１４１と、管体１４１の回りで回転し、上部１４５に対し液密にシールされた中空のローター１４２とを有している。
【００７４】
ローター１４２には、その周壁内面に沿って環状の貯血空間１４６が形成されている。この貯血空間１４６は、図３中下部から上部に向けてその内外径が漸減するような形状（テーパ状）をなしており、その下部は、ローター１４２の底部に沿って形成されたほぼ円盤状の流路を介して管体１４１の下端開口に連通し、その上部は、排出口（流出口）１４４に連通している。また、ローター１４２において、貯血空間１４６の容積は、例えば、１００〜３５０ｍＬ程度とされ、ローター１４２の回転軸からの最大内径（最大半径）は、例えば、５５〜６５ｍｍ程度とされる。
【００７５】
このようなローター１４２は、血液成分採取装置１が備える遠心分離器駆動装置１０によりあらかじめ設定された所定の遠心条件（回転速度および回転時間）で回転する。この遠心条件により、ローター１４２内の血液の分離パターン（例えば、分離する血液成分数）を設定することができる。
【００７６】
本実施形態では、図３に示すように、血液がローター１４２の貯血空間１４６内で内層より血漿層１３１、バフィーコート層１３２および赤血球層１３３に分離されるように遠心条件が設定される。
【００７７】
次に、図１および図２に示す血液成分採取装置１の全体構成について説明する。
血液成分採取装置１の装置本体３は、遠心分離器２０のローター１４２を回転させるための遠心分離器駆動装置１０と、第１のライン２１の途中に設置された第１の送液ポンプ１１と、第３のライン２３の途中に設置された第２の送液ポンプ１２と、血液成分採取回路２（第１のライン２１、チューブ４２、チューブ４４、チューブ４５、チューブ４７、チューブ４９、チューブ５０）の流路の途中を開閉し得る複数の流路開閉手段８１、８２、８３、８４、８５、８６、８７の構成要素の残部と、各種の情報を表示（報知）する表示手段（報知手段）および各操作を行なう操作手段である表示・操作部１７と、遠心分離器駆動装置１０、第１の送液ポンプ１１、第２の送液ポンプ１２、複数の流路開閉手段８１〜８７および表示・操作部１７を制御するための制御部（制御手段）１３とを備えている。
【００７８】
さらに、血液成分採取装置１の装置本体３は、第２のライン２２に装着（設置）された濁度センサ１４と、遠心分離器２０の近傍に設置された光学式センサ１５と、複数の気泡センサ３１〜３６と、血漿の重量を血漿採取バッグ２５ごと重量測定するための重量センサ１６とを備えている。
【００７９】
制御部１３は、第１の送液ポンプ１１および第２の送液ポンプ１２のための２つのポンプコントローラ（図示せず）を備え、制御部１３と第１の送液ポンプ１１および第２の送液ポンプ１２とはポンプコントローラを介して電気的に接続されている。
【００８０】
遠心分離器駆動装置１０が備える駆動コントローラ（図示せず）は、制御部１３と電気的に接続されている。
【００８１】
各流路開閉手段８１〜８７は、それぞれ、制御部１３に電気的に接続されている。
また、濁度センサ１４、光学式センサ１５、重量センサ１６、気泡センサ３１〜３６、表示・操作部１７は、それぞれ、制御部１３と電気的に接続されている。
【００８２】
制御部１３は、例えばマイクロコンピュータで構成されており、制御部１３には、上述した濁度センサ１４、光学式センサ１５、重量センサ１６、気泡センサ３１〜３６からの検出信号が、それぞれ、随時入力される。また、表示・操作部１７からの信号（入力）も、制御部１３に入力される。
【００８３】
制御部１３は、濁度センサ１４、光学式センサ１５、重量センサ１６、気泡センサ３１〜３６からの検出信号および表示・操作部１７からの信号に基づき、予め設定されたプログラムに従って、血液成分採取装置１の各部の作動、すなわち、各送液ポンプ１１、１２の回転、停止、回転方向（正転／逆転）を制御するとともに、必要に応じ、各流路開閉手段８１〜８７の開閉、遠心分離器駆動装置１０の作動および表示・操作部１７の駆動をそれぞれ制御する。
【００８４】
第１の流路開閉手段８１は、第１のポンプチューブ２１ｇより採血針２９側、すなわち、分岐コネクター２１ｆとチャンバー２１ｄとの間において第１のライン２１を開閉するために設けられている。
【００８５】
第２の流路開閉手段８２は、チューブ５０を開閉するために設けられている。第３の流路開閉手段８３は、チューブ４４を開閉するために設けられている。第４の流路開閉手段８４は、チューブ４５を開閉するために設けられている。第５の流路開閉手段８５は、チューブ４２を開閉するために設けられている。第６の流路開閉手段８６は、チューブ４９を開閉するために設けられている。第７の流路開閉手段８７は、チューブ４７を開閉するために設けられている。
【００８６】
各流路開閉手段８１〜８７は、それぞれ、第１のライン２１、チューブ５０、４４、４５、４２、４９、４７を挿入可能な挿入部を備え、該挿入部には、例えば、ソレノイド、電動モーター、シリンダ（油圧または空気圧）等の駆動源で作動するクランプを有している。具体的には、ソレノイドで作動する電磁クランプが好適である。
【００８７】
これらの流路開閉手段（クランプ）８１〜８７は、それぞれ、制御部１３からの信号に基づいて作動する。
【００８８】
表示・操作部１７は、例えば、液晶表示パネル、ＥＬ表示パネル等を備えたタッチパネル等で構成される。
【００８９】
なお、各種の情報を表示（報知）する表示手段（報知手段）である表示部（例えば、液晶表示パネル、ＥＬ表示パネル等）と、各操作を行なう操作手段である操作部（例えば、操作ボタン、操作スイッチ、操作ダイヤル等）とを、別個に設けてもよい。
【００９０】
遠心分離器駆動装置１０は、図３に示すように、遠心分離器２０を収納するハウジング２０１と、脚部２０２と、駆動源であるモータ２０３と、遠心分離器２０を保持する円盤状の固定台２０５とを有している。
【００９１】
ハウジング２０１は、脚部２０２の上部に載置、固定されている。また、ハウジング２０１の下面には、ボルト２０６によりスペーサー２０７を介してモータ２０３が固定されている。
【００９２】
モータ２０３の回転軸２０４の先端部には、固定台２０５が回転軸２０４と同軸でかつ一体的に回転するように嵌入されており、固定台２０５の上部には、ローター１４２の底部が嵌合する凹部が形成されている。
【００９３】
また、遠心分離器２０の上部１４５は、図示しない固定部材によりハウジング２０１に固定されている。
【００９４】
このような遠心分離器駆動装置１０では、モータ２０３を駆動すると、固定台２０５およびそれに固定されたローター１４２が、例えば、回転数３０００〜６０００ｒｐｍ程度で回転する。
【００９５】
ハウジング２０１には、その側部（図３中、左側）に光学式センサ１５が設置されている。
【００９６】
この光学式センサ１５は、貯血空間１４６に向って投光するとともにその反射光を受光するように構成されている。
【００９７】
光学式センサ１５は、投光部１５１から光（例えばレーザー光）を照射（投光）し、ローター１４２の反射面１４７で反射された反射光を受光部１５２で受光する。そして、受光部１５２においてその受光光量に応じた電気信号に変換される。
【００９８】
ここで、光学式センサ１５は、片面に反射面を有し、光路を変更する反射板１５３を有しており、投光部１５１から照射された光は、反射板１５３を介して反射面１４７に照射され、反射面１４７で反射した光は、反射板１５３を介して受光部１５２で受光されるように構成されている。
【００９９】
このとき、投光光および反射光は、それぞれ、貯血空間１４６内の血液成分を透過するが、血液成分の界面（本実施形態では、血漿層１３１とバフィーコート層１３２との界面Ｂ）の位置に応じて、投光光および反射光が透過する位置における各血液成分の存在比が異なるため、それらの透過率が変化する。これにより、受光部１５２での受光光量が変動（変化）し、この変動を受光部１５２からの出力電圧の変化として検出することができる。
【０１００】
すなわち、光学式センサ１５は、受光部１５２での受光光量の変化に基づき、血液成分の界面の位置を検出することができる。
【０１０１】
なお、光学式センサ１５が検出する血液成分の界面としては、界面Ｂに限られず、例えば、バフィーコート層１３２と赤血球層１３３との界面であってもよい。
【０１０２】
ここで、貯血空間１４６内の各層１３１〜１３３は、それぞれ、血液成分により色が異なっており、特に、赤血球層１３３は、赤血球の色に伴い赤色を呈している。このため、光学式センサ１５の精度向上の観点からは、投光光の波長に好適な範囲が存在し、この波長範囲としては、特に限定されないが、例えば、６００〜９００ｎｍ程度であるのが好ましく、７５０〜８００ｎｍ程度であるのがより好ましい。
【０１０３】
濁度センサ１４は、第２のライン２２中を流れる流体の濁度（血小板の濃度）を検知するためのものであり、濁度に応じた電圧値を出力する。具体的には、濁度センサ１４は、濁度が高い時には低電圧値、濁度が低い時には高電圧値を出力する。
【０１０４】
この濁度センサ１４により、例えば、第２のライン２２中を流れる血漿中の血小板濃度、血漿中の血小板濃度の変化、血漿中への赤血球の混入等を検出することができる。
【０１０５】
また、気泡センサ３４により、例えば、第２のライン２２中を流れる流体の空気から血漿への置換等を検出することができる。
【０１０６】
濁度センサ１４および各気泡センサ３１〜３６としては、それぞれ、例えば、超音波センサ、光学式センサ、赤外線センサ等を用いることがきる。
【０１０７】
第１のポンプチューブ２１ｇが装着される第１の送液ポンプ１１、および、第２のポンプチューブ２３ａが装着される第２の送液ポンプ１２としては、それぞれ、例えば、ローラーポンプなどの非血液接触型ポンプが好適に用いられる。
【０１０８】
また、第１の送液ポンプ（血液ポンプ）１１としては、いずれの方向にも血液を送ることができるものが使用される。具体的には、正回転と逆回転が可能なローラーポンプが用いられている。
【０１０９】
この血液成分採取装置１は、後述する血小板採取操作（血液成分採取操作）の各サイクルにおいて、それぞれ、オペレータ（操作者）が表示・操作部１７を操作することにより、ドナー（供血者）からの血液の採取（採血）を中止することができる（中止する処理が実行される）ように構成されている。この場合、表示・操作部１７を操作することにより、（１）返血（ドナーへの血液成分の返還）を行なって、その後、残りのサイクルを継続する場合と、（２）返血を行なって、その後、動作（すべての動作）を終了する場合と、（３）採血や返血を中止して、動作（すべての動作）を終了する場合とを選択することができるようになっている。
【０１１０】
そして、この血液成分採取装置１は、オペレータが、表示・操作部１７を操作することにより、前記ドナーからの血液の採取（採血）を中止する（中止する処理を行なう）場合、自動的に、採取した採取対象の血液成分（本実施形態では、中間バッグ２７ａ内に採取された濃厚血小板、血漿バッグ２５内に採取された血漿）のうち、少なくとも１種の採取対象の血液成分（本実施形態では、中間バッグ２７ａ内に採取された濃厚血小板、血漿バッグ２５内に採取された血漿のいずれか一方または両方）を、ほぼ全部ドナーに返還し得るように構成されている。
【０１１１】
すなわち、表示・操作部１７を操作することにより、前記ドナーからの血液の採取（採血）を中止する場合の返血において、（１）主に、採取対象ではない血液成分（残りの血液成分）をドナーに返還する通常の返血（第１の返血モード）と、（２）採取対象ではない血液成分（残りの血液成分）をドナーに返還するとともに、採取した採取対象の血液成分（本実施形態では、中間バッグ２７ａ内に採取された濃厚血小板、血漿バッグ２５内に採取された血漿）のうち、少なくとも１種の採取対象の血液成分（本実施形態では、中間バッグ２７ａ内に採取された濃厚血小板、血漿バッグ２５内に採取された血漿のいずれか一方または両方）を、ほぼ全部ドナーに返還する返血（第２の返血モード）とを選択し得るようになっている。
【０１１２】
但し、本実施形態では、採取した採取対象の血液成分のうち、白血球除去フィルター２６１内を通過し（白血球除去フィルター２６１により白血球が分離除去され）、血小板採取バッグ２６内に採取された濃厚血小板である血小板製剤は、ドナーに返還されないように構成されている。なお、例えば、回路構成の変更等により、前記血小板採取バッグ２６内に採取された血小板製剤についても、ドナーに返還されるように構成することもできる。
【０１１３】
以下、具体例を挙げて、詳細に説明する。
この血液成分採取装置１では、採血中、表示・操作部１７に、採血モニター画面が表示される。この場合は、表示・操作部１７に、例えば、採血に関する各種の情報や、一時停止ボタン等の各種の操作ボタンが、それぞれ、表示される。
【０１１４】
採血中に、一時停止ボタンを押すと（一時停止ボタンに触れると）、採血が一時停止（中断）され、表示・操作部１７の画面が一時停止中画面に切り替わる。この場合は、表示・操作部１７に、終了ボタン、返血ボタンおよび再開ボタンが、それぞれ、表示される。
【０１１５】
再開ボタンを押すと、採血が再開され、表示・操作部１７の画面が採血モニター画面に切り替わる。
【０１１６】
一方、返血ボタンまたは終了ボタンを押すと、表示・操作部１７の画面が動作モード確認画面に切り替わる。
【０１１７】
返血ボタンを押した場合は、表示・操作部１７に、返血後継続ボタン、返血後終了ボタンおよび戻るボタンが、それぞれ、表示される。
【０１１８】
また、終了ボタンを押した場合は、表示・操作部１７に、返血後終了ボタン、終了ボタンおよび戻るボタンが、それぞれ、表示される。
【０１１９】
そして、前記返血ボタンを押した場合と、終了ボタンを押した場合は、それぞれ、下記（１）、（２）のいずれかの場合は、さらに、血小板返血ボタン（ＰＣ返血ボタン）および血漿返血ボタン（ＰＰＰ返血ボタン）が、それぞれ、表示される。これら血小板返血ボタンおよび血漿返血ボタンは、前記採血を中止する場合の返血において、前記第１の返血モードと、前記第２の返血モードとのいずれか一方を選択するための操作手段（選択手段）である。血小板返血ボタンの操作により、採血を中止する場合の返血において、中間バッグ２７ａ内に採取された濃厚血小板をほぼ全部ドナーに返還するか否かを選択（設定）することができる。また、血漿返血ボタンの操作により、採血を中止する場合の返血において、血漿バッグ２５内に採取された血漿をほぼ全部ドナーに返還するか否かを選択（設定）することができる。
【０１２０】
（１）血小板の目標単位数が０単位、目標血漿量が０ｍＬに設定されている場合
血小板の目標単位数が０単位で、かつ目標血漿量（血漿の目標量）が０ｍＬに設定されている場合は、さらに、血小板返血ボタンおよび血漿返血ボタンが、それぞれ、表示される。このような構成にすることにより、オペレータの意思を確認することができ、誤って前記第２の返血モードに設定されてしまうのを防止することができる。
【０１２１】
（２）最終サイクルの返血工程の場合
最終サイクルの返血工程の場合は、血小板の目標単位数の設置値や、目標血漿量の設定値にかかわらず、さらに、血小板返血ボタンおよび血漿返血ボタンが、それぞれ、表示される。
【０１２２】
ここで、前記返血後継続ボタンを押すと、今回のサイクルの採血を中止し、前記返血を行なって、その後、残りのサイクルを継続する。
【０１２３】
また、前記返血後終了ボタンを押すと、今回のサイクルの採血を中止し、前記返血を行なって、その後、動作（すべての動作）を終了する。
【０１２４】
また、前記終了ボタンを押すと、前記「中間バッグ２７ａ内に採取された濃厚血小板をほぼ全部ドナーに返還する」と、前記「血漿バッグ２５内に採取された血漿をほぼ全部ドナーに返還する」とが選択されていなくても、今回のサイクルの採血を中止し、その後、動作（すべての動作）を終了する。
なお、前記返血の際の血液成分採取装置１の作用（動作）については、後に詳述する。
【０１２５】
次に、返血ボタンまたは終了ボタンを押した場合に表示・操作部１７に表示される血小板返血ボタン等の作用について、さらに詳細に説明する。
【０１２６】
＜血小板返血ボタン等＞
各サイクルにおいて、それぞれ、初期状態では、採血を中止する場合の返血において中間バッグ２７ａ内に採取した濃厚血小板をドナーに返還しないモードに設定されており、血小板返血ボタンに「ＰＣ返血しない」と表示される。本実施形態では、この濃厚血小板をドナーに返還しないモードでは、中間バッグ２７ａ内に採取した濃厚血小板を全くドナーに返還しない。以下、同様である。
【０１２７】
そして、血小板返血ボタンに「ＰＣ返血しない」と表示されているとき、その血小板返血ボタンを押すと、採血を中止する場合の返血において中間バッグ２７ａ内に採取した濃厚血小板をほぼ全部ドナーに返還するモードに設定され（切り替わり）、血小板返血ボタンの表示が「ＰＣ返血する」に切り替わる。本実施形態では、この濃厚血小板をほぼ全部ドナーに返還するモードでは、中間バッグ２７ａ内に採取した濃厚血小板をほぼ全部ドナーに返還する。以下、同様である。また、血小板返血ボタンに「ＰＣ返血する」と表示されているとき、その血小板返血ボタンを押すと、採血を中止する場合の返血において中間バッグ２７ａ内に採取した濃厚血小板をドナーに返還しないモードに設定され（切り替わり）、血小板返血ボタンの表示が「ＰＣ返血しない」に切り替わる。
【０１２８】
また、戻るボタンを押すと、表示・操作部１７の画面が前記一時停止中画面に切り替わる。この際、前記戻るボタンを押す直前に、血小板返血ボタンに「ＰＣ返血する」と表示されていた場合、すなわち、採血を中止する場合の返血において中間バッグ２７ａ内に採取した濃厚血小板をほぼ全部ドナーに返還するモードに設定されていた場合は、採血を中止する場合の返血において中間バッグ２７ａ内に採取した濃厚血小板をドナーに返還しないモードに設定される（切り替わる）。
【０１２９】
また、採血が一時停止中であり、表示・操作部１７に、一時停止中画面が表示されているとき、再び、返血ボタンまたは終了ボタンを押すと、表示・操作部１７の画面が動作モード確認画面に切り替わるが、この場合は、表示・操作部１７に、血小板返血ボタンは、表示されす、採血を中止する場合の返血において中間バッグ２７ａ内に採取した濃厚血小板をドナーに返還しないモードの設定が保持される。
【０１３０】
次に、返血ボタンまたは終了ボタンを押した場合に表示・操作部１７に表示される血漿返血ボタン等の作用について、さらに詳細に説明する。
【０１３１】
＜血漿返血ボタン等＞
各サイクルにおいて、それぞれ、初期状態では、採血を中止する場合の返血において血漿採取バッグ２５内に採取した血漿をドナーに返還しないモードに設定されており、血漿返血ボタンに「ＰＰＰ返血しない」と表示される。本実施形態では、この血漿をドナーに返還しないモードでは、血漿採取バッグ２５内に採取した血漿のうち、所定量の血漿がドナーに返還される。以下、同様である。
【０１３２】
そして、血漿返血ボタンに「ＰＰＰ返血しない」と表示されているとき、その血漿返血ボタンを押すと、採血を中止する場合の返血において血漿採取バッグ２５内に採取した血漿をほぼ全部ドナーに返還するモードに設定され（切り替わり）、血漿返血ボタンの表示が「ＰＰＰ返血する」に切り替わる。本実施形態では、この血漿をほぼ全部ドナーに返還するモードでは、血漿採取バッグ２５内に採取した血漿をほぼ全部ドナーに返還する。以下、同様である。また、血漿返血ボタンに「ＰＰＰ返血する」と表示されているとき、その血漿返血ボタンを押すと、採血を中止する場合の返血において血漿採取バッグ２５内に採取した血漿をドナーに返還しないモードに設定され（切り替わり）、血漿返血ボタンの表示が「ＰＰＰ返血しない」に切り替わる。
【０１３３】
また、戻るボタンを押すと、表示・操作部１７の画面が前記一時停止中画面に切り替わる。この際、前記戻るボタンを押す直前に、血漿返血ボタンに「ＰＰＰ返血する」と表示されていた場合、すなわち、採血を中止する場合の返血において血漿採取バッグ２５内に採取した血漿をほぼ全部ドナーに返還するモードに設定されていた場合は、採血を中止する場合の返血において血漿採取バッグ２５内に採取した血漿をドナーに返還しないモードに設定される（切り替わる）。
【０１３４】
また、採血が一時停止中であり、表示・操作部１７に、一時停止中画面が表示されているとき、再び、返血ボタンまたは終了ボタンを押すと、表示・操作部１７の画面が動作モード確認画面に切り替わるが、この場合は、表示・操作部１７に、血漿返血ボタンは、表示されす、採血を中止する場合の返血において血漿採取バッグ２５内に採取した血漿をドナーに返還しないモードの設定が保持される。
【０１３５】
次に、血液成分採取装置１を用いた血小板採取操作（血液成分採取操作）を、図２、図４および図５に示すフローチャートを参照しつつ説明する。
【０１３６】
血液成分採取装置１は、制御部１３の制御により、第１の血漿採取工程と、定速血漿循環工程と、第２の血漿採取工程と、加速血漿循環工程と、第３の血漿採取工程と、血小板採取工程と、返血工程（血液成分返還工程）とを有する血小板採取操作（血液成分採取操作）を行なうよう作動する。この血小板採取操作は、少なくとも１回行われる。
【０１３７】
本実施形態では、血小板採取操作を繰り返して複数回（第１サイクル〜第ｎサイクル、ｎは２以上の整数）行なうようになっている。
【０１３８】
また、最終サイクルの血小板採取操作を行なうのに並行して、血液成分採取装置１は、制御部１３の制御により、中間バッグ２７ａ内に一時的に採取（貯留）した濃厚血小板を、白血球除去フィルター２６１に供給して、濃厚血小板中の白血球を分離除去する濾過操作（濾過工程）を行なうよう構成されている。
【０１３９】
この濾過操作を開始するタイミングは、特に限定されないが、ドナーの拘束時間を短縮する観点からは、この濾過操作を、最終サイクルの血小板採取操作と同時に（特に、血小板採取操作の早い段階の工程において）開始するのが好ましい。なお、本実施形態の血液成分採取装置１では、濾過操作を最終サイクルの血小板採取操作における第２の血漿採取工程の開始とほぼ同時に開始するように構成されているが、フローチャートには、その濾過操作（濾過工程開始）のステップの記載を省略する。
【０１４０】
なお、採血を中止する場合の返血工程（血液成分返還工程）については、血小板採取操作および濾過操作の説明の後に、説明する。
【０１４１】
［０］  まず、最初に、第３のライン２３と第１のライン２１の採血針２９からチャンバー２１ｄまでを、抗凝固剤でプライミングし、その後、ドナー（供血者）の血管に採血針２９を穿刺する。
【０１４２】
［１］  第１サイクルの血小板採取操作（図４および図５参照）
［１１］  まず、血液成分採取装置１は、第１の血漿採取工程を行なう。第１の血漿採取工程では、ローター１４２の貯血空間１４６内に血液を導入し、血液を遠心分離することにより分離された血漿（ＰＰＰ）を血漿採取バッグ２５内に採取する。
【０１４３】
第１の血漿採取工程では、まず、制御部１３は、血漿（第２の血液成分）の採取を行なう（図４のステップＳ１０１）。
【０１４４】
具体的には、制御部１３の制御により、第１の流路開閉手段８１および第５の流路開閉手段８５を開放し、他の流路開閉手段を閉塞した状態で、第１の送液ポンプ１１を所定の回転速度（好ましくは４０〜１５０ｍＬ／min程度、例えば６０ｍＬ／min）で作動（正転）して、ドナーから採血を開始する。
【０１４５】
また、この採血と同時に、制御部１３の制御により、第２の送液ポンプ１２を作動して、第３のライン２３を介して、例えばＡＣＤ−Ａ液のような抗凝固剤を供給し、この抗凝固剤を採血血液中に混入させる。
【０１４６】
このとき、第２の送液ポンプ１２の回転速度は、制御部１３により、採血血液に対して抗凝固剤が所定比率（好ましくは１／２０〜１／６程度、例えば１／１０）で混合されるように制御される。
【０１４７】
これにより、血液（抗凝固剤添加血液）は、第１のライン２１を介して移送され、遠心分離器２０の流入口１４３より管体１４１を経てローター１４２の貯血空間１４６内に導入される。
【０１４８】
このとき、遠心分離器２０内の空気（滅菌空気）は、第２のライン２２およびチューブ４２を介してエアーバッグ２７ｂ内に送り込まれる。
【０１４９】
また、前記採血と同時にまたはこれと前後して、制御部１３は、遠心分離器駆動装置１０を作動し、ローター１４２を所定の回転数で回転するよう制御する。
【０１５０】
このローター１４２の回転により、貯血空間１４６内に導入された血液は、内側から血漿層（ＰＰＰ層）１３１、バフィーコート層（ＢＣ層）１３２、赤血球層（ＣＲＣ層）１３３の３層に分離される。
【０１５１】
なお、ローター１４２の回転数としては、好ましくは３０００〜６０００ｒｐｍ程度、より好ましくは４２００〜５８００ｒｐｍ程度とされる。また、以下の工程において、特に記載しない限り、制御部１３は、ローター１４２の回転数を変更させない。
【０１５２】
さらに、前記採血および前記抗凝固剤の供給を継続し、貯血空間１４６の容量を越える血液（約２７０ｍＬ）が貯血空間１４６内に導入されると、貯血空間１４６内は血液により満たされ、遠心分離器２０の排出口１４４から血漿（ＰＰＰ）が流出する。
【０１５３】
このとき、第２のライン２２に設置された気泡センサ３４は、第２のライン２２中を流れる流体が、空気から血漿に変わったことを検出し、制御部１３は、この気泡センサ３４の検出信号に基づき、第５の流路開閉手段８５を閉塞し、かつ、第３の流路開閉手段８３を開放するよう制御する。
【０１５４】
これにより、第２のライン２２、チューブ４３および４４を介して血漿を血漿採取バッグ（第３の容器）２５内に導入、採取する。
【０１５５】
なお、血漿採取バッグ２５は、その重量が重量センサ１６により計測されており、計測された重量信号は制御部１３に入力される。
【０１５６】
次いで、制御部１３は、重量センサ１６からの情報（重量信号）に基づき、血漿採取バッグ２５内に所定量の血漿が採取されたか否かを判断する（図４のステップＳ１０２）。
【０１５７】
なお、この血漿の採取量（所定量）としては、好ましくは１０〜１５０ｇ程度、より好ましくは２０〜４０ｇ程度とされる。
【０１５８】
ステップＳ１０２において、血漿採取バッグ２５内に所定量の血漿が採取されていない場合には、制御部１３は、ステップＳ１０１に戻り、再度、ステップＳ１０１以降を繰り返す。
【０１５９】
また、ステップＳ１０２において、血漿採取バッグ２５内に所定量の血漿が採取された場合には、制御部１３は、本工程［１１］（第１の血漿採取工程）を終了して、定速血漿循環工程に移行する。
【０１６０】
［１２］  次に、血液成分採取装置１は、定速血漿循環工程を行なう。定速血漿循環工程では、血漿採取バッグ２５内の血漿を貯血空間１４６内に通して定速で循環させる。
【０１６１】
定速血漿循環工程では、まず、制御部１３は、血漿の循環を行なう（図４のステップＳ１０３）。
【０１６２】
具体的には、制御部１３の制御により、第１の流路開閉手段８１を閉鎖し、第２の流路開閉手段８２を開放するとともに、第２の送液ポンプ１２を停止し、第１の送液ポンプ１１を所定の回転速度（好ましくは６０〜２５０ｍＬ／min程度、例えば２００ｍＬ／min）で作動（正転）する。
【０１６３】
これにより、採血を一時中断するとともに、血漿採取バッグ２５内の血漿をチューブ４９、５０および第１のライン２１を介して貯血空間１４６内に一定速度で導入し、遠心分離器２０の排出口１４４から流出してきた血漿を第２のライン２２、チューブ４３および４４を介して血漿採取バッグ２５内に回収する。すなわち、血漿採取バッグ２５内の血漿を貯血空間１４６内に定速にて循環させる。
【０１６４】
次いで、制御部１３は、定速血漿循環を開始してから所定時間（好ましくは１０〜９０秒程度、例えば３０秒）が経過したか否かを判断する（図４のステップＳ１０４）。
【０１６５】
ステップＳ１０４において、定速血漿循環を開始してから所定時間が経過していない場合には、制御部１３は、ステップＳ１０３に戻り、再度、ステップＳ１０３以降を繰り返す。
【０１６６】
また、ステップＳ１０４において、定速血漿循環を開始してから所定時間が経過した場合には、制御部１３は、本工程［１２］（定速血漿循環工程）を終了して、第２の血漿採取工程に移行する。
【０１６７】
［１３］  次に、血液成分採取装置１は、第２の血漿採取工程を行なう。第２の血漿採取工程では、ローター１４２の貯血空間１４６内に血液を導入し、血液を遠心分離することにより分離された血漿を血漿採取バッグ２５内に採取する。
【０１６８】
なお、この第２の血漿採取工程では、重量センサ１６により血漿の採取量を計測するのに代わり、血漿層１３１とバフィーコート層１３２との界面Ｂの位置を検出する以外、前記工程［１１］（第１の血漿採取工程）と同様の工程を行なう。
【０１６９】
第２の血漿採取工程では、まず、制御部１３は、血漿の採取を行なう（図４のステップＳ１０５）。
【０１７０】
なお、このとき、制御部１３は、第２の流路開閉手段８２を閉塞し、第１の流路開閉手段８１を開放するよう制御する。
【０１７１】
これにより、貯血空間１４６内の赤血球量が増加、すなわち、赤血球層１３３の層厚が増大するのに伴い、界面Ｂも徐々にローター１４２の回転軸方向へ移動する。
【０１７２】
次いで、制御部１３は、光学式センサ１５からの検出信号（界面位置検出情報）に基づき、界面Ｂが所定レベル（第１の位置）に到達したか否かを判断する（図４のステップＳ１０６）。
【０１７３】
なお、この界面Ｂの第１の位置としては、第１の光学式センサ１５からの検出信号（受光部１５２からの出力電圧）が、好ましくは１〜２Ｖ程度となった時点の位置とされる。
【０１７４】
ステップＳ１０６において、界面Ｂが第１の位置に到達していない場合には、制御部１３は、ステップＳ１０５に戻り、再度、ステップＳ１０５以降を繰り返す。
【０１７５】
また、ステップＳ１０６において、界面Ｂが第１の位置に到達した場合には、制御部１３は、本工程［１３］（第２の血漿採取工程）を終了して、加速血漿循環工程に移行する。
【０１７６】
［１４］  次に、血液成分採取装置１は、加速血漿循環工程を行なう。加速血漿循環工程では、血漿採取バッグ２５内の血漿を貯血空間１４６内に加速させながら循環させる。
【０１７７】
加速血漿循環工程では、まず、制御部１３は、血漿の循環を行なう（図４のステップＳ１０７）。
【０１７８】
具体的には、制御部１３の制御により、第１の流路開閉手段８１を閉鎖し、第２の流路開閉手段８２を開放するとともに、第２の送液ポンプ１２を停止し、かつ、第１の送液ポンプ１１の回転速度が一定の加速度にて増加（増大）するように作動（正転）する。
【０１７９】
これにより、採血を一時中断するとともに、血漿採取バッグ２５内の血漿をチューブ４９、５０および第１のライン２１を介して貯血空間１４６内に加速させながら導入し、遠心分離器２０の排出口１４４から流出してきた血漿を第２のライン２２、チューブ４３および４４を介して血漿採取バッグ２５内に回収する。すなわち、血漿採取バッグ２５内の血漿を貯血空間１４６内に加速させながら循環させる。
【０１８０】
なお、このとき、制御部１３は、第１の送液ポンプ１１の回転速度を、前記定速血漿循環より遅い速度（初速：例えば６０ｍＬ／min）から、一定の加速度にて増加（増大）するように制御する。
【０１８１】
この加速条件（加速度）としては、好ましくは１〜１０ｍＬ／min／sec程度、より好ましくは３〜６ｍＬ／min／sec程度とされる。また、加速度は、一定でなくてもよく、例えば、前記範囲内で段階的または連続的に変化するものであってもよい。
【０１８２】
次いで、制御部１３は、血漿の貯血空間１４６内への循環速度が所定速度に到達したか否か、すなわち、第１の送液ポンプ１１の回転速度が所定速度（好ましくは１３０〜２５０ｍＬ／min程度、例えば１５５ｍＬ／min）に到達したか否かを判断する（図４のステップＳ１０８）。
【０１８３】
このステップＳ１０８は、血漿の貯血空間１４６内への循環速度が所定速度に到達するまで継続される。
【０１８４】
また、ステップＳ１０８において、血漿の貯血空間１４６内への循環速度が所定速度に到達した場合、制御部１３は、本工程［１４］（加速血漿循環工程）を終了して、第３の血漿採取工程に移行する。
【０１８５】
［１５］  次に、血液成分採取装置１は、第３の血漿採取工程を行なう。第３の血漿採取工程では、ローター１４２の貯血空間１４６内に血液を導入し、血液を遠心分離することにより分離された血漿を血漿採取バッグ２５内に採取する。
【０１８６】
第３の血漿採取工程では、まず、制御部１３は、血漿の採取を行なう（図４のステップＳ１０９）。
【０１８７】
次いで、制御部１３は、第１の送液ポンプ１１の１回転当たりの送液量および回転回数に基づき、血漿採取バッグ２５内に所定量の血漿が採取されたか否かを判断する（図４のステップＳ１１０）。
【０１８８】
なお、この血漿の採取量（所定量）としては、好ましくは２〜３０ｇ程度、より好ましくは５〜１５ｇ程度とされる。
【０１８９】
また、ステップＳ１１０において、血漿採取バッグ２５内に所定量の血漿が採取された場合には、制御部１３は、本工程［１５］（第３の血漿採取工程）を終了して、血小板採取工程に移行する（図５の１に移行する）。
【０１９０】
［１６］  次に、血液成分採取装置１は、血小板採取工程を行なう。血小板採取工程では、血漿採取バッグ２５内の血漿を、貯血空間１４６内に第１の加速度にて加速させながら循環させ、次いで、第１の加速度より大きい第２の加速度に変更して、この第２の加速度にて加速させながら循環させて、貯血空間１４６内より血小板を流出させ、濃厚血小板を中間バッグ２７ａ内に採取（貯留）する。
【０１９１】
血小板採取工程では、まず、制御部１３は、第１の加速度による血漿循環を行なう（図５のステップＳ１１１）。
【０１９２】
具体的には、制御部１３の制御により、第１の流路開閉手段８１を閉塞し、第２の流路開閉手段８２を開放するとともに、第２の送液ポンプ１２を停止し、かつ、第１の送液ポンプ１１の回転速度を第１の加速度にて増加（増大）するよう作動（正転）する。
【０１９３】
これにより、採血を中断するとともに、血漿採取バッグ２５内の血漿をチューブ４９、５０および第１のライン２１を介して貯血空間１４６内に第１の加速度にて加速させながら導入し、遠心分離器２０の排出口１４４から流出してきた血漿を第２のライン２２、チューブ４３および４４を介して血漿採取バッグ２５内に回収する。すなわち、血漿採取バッグ２５内の血漿を貯血空間１４６内に第１の加速度にて加速させながら循環させる。
【０１９４】
このとき、貯血空間１４６内に血漿を第１の加速度にて加速させながら循環すると、赤血球層１３３の拡散（層厚の増大）が生じて、界面Ｂも徐々にローター１４２の回転軸方向へ移動する。
【０１９５】
この第１の加速度としては、好ましくは０．５〜１０ｍＬ／min／sec程度、より好ましくは１．５〜２．５ｍＬ／min／sec程度とされる。なお、第１の加速度は、一定でなくてもよく、例えば、前記範囲内で段階的または連続的に変化するものであってもよい。
【０１９６】
また、第１の加速度による血漿循環での第１の送液ポンプ１１の初速としては、好ましくは４０〜１５０ｍＬ／min程度、より好ましくは５０〜８０ｍＬ／min程度とされる。
【０１９７】
次いで、制御部１３は、血漿の貯血空間１４６内への循環速度が所定速度に到達するまで、ステップＳ１１１を継続する（図５のステップＳ１１２）。
【０１９８】
なお、この所定の速度、すなわち、第１の加速度による血漿循環が終了するときの第１の送液ポンプ１１の回転速度としては、好ましくは１００〜１８０ｍＬ／min程度、より好ましくは１４０〜１６０ｍＬ／min程度とされる。
【０１９９】
また、ステップＳ１１２において、血漿の貯血空間１４６内への循環速度が所定速度に到達した場合には、制御部１３は、第２の加速度による血漿循環を行なう（図５のステップＳ１１３）。
【０２００】
具体的には、制御部１３の制御により、第１の送液ポンプ１１の加速度を、第１の加速度から第２の加速度に変更して、第１の送液ポンプ１１の回転速度を第２の加速度にて増加（増大）するよう作動（正転）する。これにより、血漿採取バッグ２５内の血漿を貯血空間１４６内に第２の加速度にて加速させながら循環させる。
【０２０１】
このとき、貯血空間１４６内に血漿を第２の加速度にて加速させながら循環すると、赤血球層１３３の拡散（層厚の増大）が生じて、界面Ｂも徐々にローター１４２の回転軸方向へ移動するとともに、バフィーコート層１３２中の血小板（ＰＣ）が遠心力に抗して浮上し（舞い上がり）、ローター１４２の排出口１４４へ向って移動する。
【０２０２】
この第２の加速度としては、第１の加速度より大きくなるよう設定され、好ましくは３〜２０ｍＬ／min／sec程度、より好ましくは５〜１０ｍＬ／min／sec程度とされる。なお、第２の加速度は、一定でなくてもよく、例えば、前記範囲内で段階的または連続的に変化するものであってもよい。
【０２０３】
次いで、制御部１３は、血漿の貯血空間１４６内への循環速度が所定速度に到達したか否か、すなわち、第１の送液ポンプ１１の回転速度が所定速度（好ましくは１２０〜３００ｍＬ／min程度、例えば２００ｍＬ／min）に到達したか否かを判断する（図５のステップＳ１１４）。
【０２０４】
ステップＳ１１４において、血漿の貯血空間１４６内への循環速度が所定速度に到達していない場合には、制御部１３は、ステップＳ１１３に戻り、再度、ステップＳ１１３以降を繰り返す。
【０２０５】
また、ステップＳ１１４において、血漿の貯血空間１４６内への循環速度が所定速度に到達した場合には、制御部１３は、血漿循環を継続する（図５のステップＳ１１５）。
【０２０６】
具体的には、制御部１３は、第１の送液ポンプ１１の回転速度を、前記ステップＳ１１４における所定速度で維持（保持）するよう制御する。これにより、血漿の貯血空間１４６内への循環速度を、好ましくは１２０〜３００ｍＬ／min程度、例えば２００ｍＬ／minとする。
【０２０７】
次いで、制御部１３は、ステップＳ１１５を開始してから所定時間（好ましくは５〜１５秒程度、例えば１０秒）が経過したか否かを判断する（図５のステップＳ１１６）。
【０２０８】
ステップＳ１１６において、ステップＳ１１５を開始してから所定時間が経過していない場合には、次いで、制御部１３は、濁度センサ１４からの出力電圧（ＰＣ濃度電圧）が所定値（好ましくは２．５〜３．５Ｖ程度、例えば、３．０Ｖ）以下に低下したか否かを判断する（図５のステップＳ１１７）。
【０２０９】
ステップＳ１１７において、濁度センサ１４からの出力電圧が所定値以下に低下していない場合には、制御部１３は、ステップＳ１１５に戻り、再度、ステップＳ１１５以降を繰り返す。
【０２１０】
ステップＳ１１５〜Ｓ１１７を繰り返している間に、ステップＳ１１６において、ステップＳ１１５を開始してから所定時間が経過した場合には、制御部１３は、本工程［１６］（血小板採取工程）を終了して、後述するステップＳ１２２に移行する。
【０２１１】
また、ステップＳ１１７において、濁度センサ１４からの出力電圧が所定値以下に低下した場合には、すなわち、ローター１４２の排出口１４４から血小板が流出するのに伴い、第２のライン２２中を流れる血漿中の血小板濃度が所定値以上に到達した場合には、制御部１３は、血小板（ＰＣ）の採取を行なう（図５のステップＳ１１８）。
【０２１２】
具体的には、制御部１３は、濁度センサ１４の検出信号に基づき、第３の流路開閉手段８３を閉塞し、かつ、第４の流路開閉手段８４を開放するよう制御する。
【０２１３】
これにより、第２のライン２２、チューブ４３および４５を介して濃厚血小板を中間バッグ２７ａ内へ導入し、採取（貯留）する。なお、このとき、第７の流路開閉手段８７は、閉塞しているため、濃厚血小板は、中間バッグ２７ａ内から流出しない。
【０２１４】
また、制御部１３は、濁度センサ１４からの出力電圧（検出信号）に基づき、中間バッグ２７ａ内の血小板濃度（累積ＰＣ濃度）を算出する。なお、この血小板濃度は、ＰＣ採取を開始してから上昇を続け、一旦、最高濃度に到達した後、下降に転じる。
【０２１５】
次いで、制御部１３は、ＰＣ採取を開始してから所定時間（好ましくは１０〜２５秒程度、例えば１５秒）が経過したか否かを判断する（図５のステップＳ１１９）。
【０２１６】
ステップＳ１１９において、ＰＣ採取を開始してから所定時間が経過していない場合には、次いで、制御部１３は、濁度センサ１４の出力電圧（ＰＣ濃度電圧）が所定値以下に到達したか否かを判断する（図５のステップＳ１２０）。
【０２１７】
この濁度センサ１４の出力電圧の所定値としては、第２のライン２２中を流れる血漿中に赤血球の混入が生じる時点付近の値とされ、好ましくは０．５Ｖ以下程度とされる。
【０２１８】
ステップＳ１２０において、濁度センサ１４の出力電圧が所定値以下に到達していない場合には、次いで、制御部１３は、中間バッグ２７ａ内の濃厚血小板が所定量に到達したか否かを判断する（図５のステップＳ１２１）。
【０２１９】
なお、この濃厚血小板の採取量（所定量）としては、好ましくは２０〜１００ｍＬ程度、より好ましくは４０〜８０ｍＬ程度とされる。
【０２２０】
ステップＳ１２１において、中間バッグ２７ａ内の濃厚血小板が所定量に到達しない場合には、制御部１３は、ステップＳ１１８に戻り、再度、ステップＳ１１８以降を繰り返す。
【０２２１】
ステップＳ１１８〜Ｓ１２１を繰り返している間に、ステップＳ１１９において、ＰＣ採取を開始してから所定時間が経過した場合、または、ステップＳ１２０において、濁度センサ１４の出力電圧が所定値以下に到達した場合には、制御部１３は、本工程［１６］（血小板採取工程）を終了して、後述するステップＳ１２２に移行する。
【０２２２】
また、ステップＳ１２１において、中間バッグ２７ａ内の濃厚血小板が所定量に到達した場合には、制御部１３は、第５の流路開閉手段８５を開放し、この他の全ての流路開閉手段８１〜８４、８６、８７を閉塞した状態とし、第１の送液ポンプ１１を停止して、本工程［１６］（血小板採取工程）を終了する。
【０２２３】
［１７］  次に、血液成分採取装置１は、遠心分離器２０を停止する工程を行なう。
この工程では、まず、制御部１３は、遠心分離器２０の減速を行なう（図５のステップＳ１２２）。
【０２２４】
具体的には、制御部１３の制御により、遠心分離器駆動装置１０の回転数を減少して、ローター１４２を減速する。
【０２２５】
さらに、制御部１３は、遠心分離器２０の停止を行なう（図５のステップＳ１２３）。
具体的には、制御部１３の制御により、遠心分離器駆動装置１０の回転を停止して、ローター１４２を停止する。
【０２２６】
［１８］  次に、血液成分採取装置１は、返血工程を行なう。返血工程では、ローター１４２の貯血空間１４６内の血液成分（残りの血液成分）を返血する。
【０２２７】
返血工程では、制御部１３は、返血を行なう（図５のステップＳ１２４）。
具体的には、制御部１３の制御により、第１の流路開閉手段８１および第５の流路開閉手段８５を開放するとともに、第１の送液ポンプ１１を所定の回転速度（好ましくは２０〜１２０ｍＬ／min程度、例えば９０ｍＬ／min）で作動（逆転）する。
【０２２８】
これにより、ローター１４２の貯血空間１４６内に残存する血液成分（主に、赤血球、白血球）は、遠心分離器２０の流入口１４３から排出され、第１のライン２１（採血針２９）を介してドナーに返血（返還）される。
【０２２９】
そして、気泡センサ３２によって遠心分離器２０から排出される空気を検出して、所定の回数だけ第１の送液ポンプ１１を回転した後、第１の流路開閉手段８１および第５の流路開閉手段８５を閉塞するとともに、第１の送液ポンプ１１を停止して、本工程［１８］（返血工程）を終了する。
これにより、第１サイクルの血小板採取操作を終了する。
【０２３０】
［２］  最終サイクルではない第２サイクルの血小板採取操作（図４および図５参照）
続いて、第２サイクルの血小板採取操作を行なう。
【０２３１】
第２サイクルの血小板採取操作では、下記の通り、前記第１サイクルの血小板採取操作と同様の工程を行なう。
【０２３２】
［２１］〜［２８］  前記工程［１１］〜［１８］と同様の工程をそれぞれ行なう。
これにより、第２サイクルの血小板採取操作を終了する。
なお、最終サイクルではない第３サイクル以降の血小板採取操作も同様である。
【０２３３】
［３］  最終サイクルの血小板採取操作（図４および図５参照）
続いて、最終サイクルの血小板採取操作を行なう。
【０２３４】
最終サイクルの血小板採取操作では、濃厚血小板から白血球を分離除去する濾過工程を行なうこと以外は、前記第１サイクルの血小板採取操作と同様の工程を行なう。
【０２３５】
［３１］〜［３７］  前記濾過工程を行なうこと以外は、前記工程［１１］〜［１７］と同様の工程をそれぞれ行なう。なお、濾過工程については、後に詳述する。
【０２３６】
［３８］  気泡センサ３５または３６によって遠心分離器２０から排出される空気を検出して、第１の流路開閉手段８１および第５の流路開閉手段８５を閉塞するとともに、第１の送液ポンプ１１を停止して、本工程［３８］（返血工程）を終了すること以外は、前記工程［１８］と同様の工程を行なう。
これにより、最終サイクルの血小板採取操作を終了する。
【０２３７】
次に、濾過工程について説明する。
本実施形態では、第２の血漿採取工程を行なうのとほぼ同時に、制御部１３は、中間バッグ２７ａ内に一時的に採取（貯留）した濃厚血小板を、白血球除去フィルター２６１に供給して、濃厚血小板の濾過、すなわち、濃厚血小板中の白血球の分離除去を行なう。
【０２３８】
具体的には、ステップＳ１０５の前に、制御部１３の制御により、第７の流路開閉手段８７を開放して濾過工程を開始する（図示せず）。なお、濾過工程を開始するタイミングは、これに限定されないことは、言うまでもない。
【０２３９】
これにより、中間バッグ２７ａ内の濃厚血小板を、落差（自重）により、チューブ４６、４７、白血球除去フィルター２６１およびチューブ４８を経て、血小板採取バッグ２６内に移送する。このとき、濃厚血小板は、そのほとんどが、白血球除去フィルター２６１の濾過部材を通過するが、白血球は濾過部材に捕捉される。このため、血小板製剤中の白血球の除去率を極めて高いものとすることができる。
【０２４０】
なお、濃厚血小板の中間バッグ２７ａ内から血小板採取バッグ２６への移送は、ポンプを用いて行なうようにしてもよい。
【０２４１】
また、第７の流路開閉手段８７は、制御部１３の制御により作動するものに代わり、手動によりチューブ４７の流路の途中を開閉し得るクレンメ等であってもよい。
【０２４２】
次に、前記採血を中止する場合の返血工程について説明する。
この場合、代表的に、中間バッグ２７ａ内に採取された濃厚血小板をほぼ全部ドナーに返還するモードに設定され、かつ、血漿バッグ２５内に採取された血漿をほぼ全部ドナーに返還するモードに設定されている場合を説明する。
【０２４３】
この返血工程は、前述したように、表示・操作部１７に表示されている返血後継続ボタンまたは返血後終了ボタンを押すと、今回のサイクルの採血を中止し、その後、開始される。
【０２４４】
まず、血液成分採取装置１は、遠心分離器２０を停止する工程を行なう。
この工程では、まず、制御部１３は、遠心分離器２０の減速を行なう。具体的には、制御部１３の制御により、遠心分離器駆動装置１０の回転数を減少して、ローター１４２を減速する。
【０２４５】
さらに、制御部１３は、遠心分離器２０の停止を行なう。具体的には、制御部１３の制御により、遠心分離器駆動装置１０の回転を停止して、ローター１４２を停止する。
【０２４６】
次に、血液成分採取装置１は、ローター１４２の貯血空間１４６内の血液成分（残りの血液成分）を返血するとともに、中間バッグ２７ａ内に採取された濃厚血小板および血漿バッグ２５内に採取された血漿をローター１４２の貯血空間１４６を経由してドナーに返血する工程を行なう。
【０２４７】
この工程では、まず、制御部１３の制御により、第１の流路開閉手段８１、第３の流路開閉手段８３、第４の流路開閉手段８４および第５の流路開閉手段８５を開放するとともに（すでに開放している流路開閉手段については、その状態を保持）、第１の送液ポンプ１１を所定の回転速度（好ましくは２０〜１２０ｍＬ／min程度、例えば９０ｍＬ／min）で作動（逆転）する。
【０２４８】
これにより、中間バッグ２７ａ内に採取された濃厚血小板は、チューブ４５、４３、第２のライン２２を流れ、遠心分離器２０の排出口１４４からローター１４２の貯血空間１４６内に導入されるとともに、血漿バッグ２５内に採取された血漿は、チューブ４４、４３、第２のライン２２を流れ、遠心分離器２０の排出口１４４からローター１４２の貯血空間１４６内に導入され、これら濃厚血小板および血漿と、ローター１４２の貯血空間１４６内に残存する血液成分（主に、赤血球、白血球）とが混合される。この際、チューブ４５、４４、４３、第２のライン２２、チューブ４２の分岐コネクター２２ｂの近傍等に残存する血液成分（主に、赤血球、白血球）は、濃厚血小板や血漿によって流され、ローター１４２の貯血空間１４６内に導入される。
【０２４９】
ここで、血漿採取バッグ２５は、ローター１４２の貯血空間１４６より高い位置（鉛直方向上方）に位置するので、血漿採取バッグ２５内の血漿は、落差（自重）および第１の送液ポンプ１１により、移送される。同様に、中間バッグ２７ａは、ローター１４２の貯血空間１４６より高い位置（鉛直方向上方）に位置するので、中間バッグ２７ａ内の濃厚血小板は、落差（自重）および第１の送液ポンプ１１により、移送される。これにより、第１の送液ポンプ１１により、貯血空間１４６内の血液成分をドナーに返還しながら（並行して）、中間バッグ２７ａ内の濃厚血小板および血漿バッグ２５内の血漿を貯血空間１４６内に戻すことができる。
【０２５０】
また、血漿採取バッグ２５は、血漿の出口側が鉛直方向下方になるように、ハンガー３０１に引っ掛けられ、吊り下げられているので、血漿採取バッグ２５内の空気は、血漿採取バッグ２５内の血漿が実質的に無くなるか、または非常に少なくなるまで、排出されない。同様に、中間バッグ２７ａは、濃厚血小板の出口側が鉛直方向下方になるように、ハンガー３０２に引っ掛けられ、吊り下げられているので、中間バッグ２７ａ内の空気は、中間バッグ２７ａ内の濃厚血小板が実質的に無くなるか、または非常に少なくなるまで、排出されない。
【０２５１】
前記貯血空間１４６内に残存していた血液成分（主に、赤血球、白血球）、貯血空間１４６内に導入された濃厚血小板および血漿は、遠心分離器２０の流入口１４３から排出され、第１のライン２１（採血針２９）を介してドナーに返血（返還）される。
【０２５２】
そして、気泡センサ３５または３６によって遠心分離器２０から排出される空気を検出して、第１の流路開閉手段８１、第３の流路開閉手段８３、第４の流路開閉手段８４および第５の流路開閉手段８５を閉塞するとともに、第１の送液ポンプ１１を停止して、本工程を終了する。以上で、返血工程が終了する。
【０２５３】
また、次のサイクルに移行する場合や、サイクルが追加され、その追加サイクルに移行する場合は、中間バッグ２７ａ内に採取された濃厚血小板をドナーに返還しないモードに設定され、かつ、血漿バッグ２５内に採取された血漿をドナーに返還しないモードに設定される。
【０２５４】
なお、前記採血を中止する場合の返血工程の途中、例えば、気泡センサ３２によって遠心分離器２０から排出される空気を検出したとき、第１の送液ポンプ１１を停止し、遠心分離器駆動装置１０を作動して、ローター１４２を所定の回転数で回転し、その後、遠心分離器駆動装置１０の回転を停止して、ローター１４２を停止し、第１の送液ポンプ１１を作動（逆転）するのが好ましい。これにより、貯血空間１４６内の血液成分の残存を抑制することができる。
【０２５５】
中間バッグ２７ａ内に採取された濃厚血小板をほぼ全部ドナーに返還するモードに設定され、かつ、血漿バッグ２５内に採取された血漿をドナーに返還しないモードに設定されている場合、中間バッグ２７ａ内に採取された濃厚血小板をドナーに返還しないモードに設定され、かつ、血漿バッグ２５内に採取された血漿をほぼ全部ドナーに返還するモードに設定されている場合、中間バッグ２７ａ内に採取された濃厚血小板をドナーに返還しないモードに設定され、かつ、血漿バッグ２５内に採取された血漿をドナーに返還しないモードに設定されている場合については、それぞれ、詳細な説明は省略し、以下、簡単に説明する。
【０２５６】
中間バッグ２７ａ内に採取された濃厚血小板をほぼ全部ドナーに返還するモードに設定され、かつ、血漿バッグ２５内に採取された血漿をドナーに返還しないモードに設定されている場合は、返血工程の途中において、開放している第３の流路開閉手段８３を所定のタイミングで閉塞する以外は、前述した返血工程とほぼ同じである。
【０２５７】
また、中間バッグ２７ａ内に採取された濃厚血小板をドナーに返還しないモードに設定され、かつ、血漿バッグ２５内に採取された血漿をほぼ全部ドナーに返還するモードに設定されている場合は、返血工程において、第４の流路開閉手段８４を閉塞しておく以外は、前述した返血工程とほぼ同じである。
【０２５８】
また、中間バッグ２７ａ内に採取された濃厚血小板をドナーに返還しないモードに設定され、かつ、血漿バッグ２５内に採取された血漿をドナーに返還しないモードに設定されている場合は、返血工程において、第４の流路開閉手段８４を閉塞しておき、かつ、血工程の途中において、開放している第３の流路開閉手段８３を所定のタイミングで閉塞する以外は、前述した返血工程とほぼ同じである。
【０２５９】
なお、血小板採取操作は、複数回行なう場合に限定されず、例えば、１回のみ行なってもよい。
【０２６０】
また、血液成分採取回路２の構成も、適宜設定可能であり、図示の構成に限定されない。
【０２６１】
以上説明したように、この血液成分採取装置１によれば、例えば、採血の途中でドナー（供血者）の体調が悪くなったとき、血小板の取れ具合が悪いとき、血小板とともに赤血球も採取されるとき等、必要に応じて採血を途中で中止することができ、その際、自動的に、採取対象の血液成分をほぼ全部供血者に返還することができ、これにより供血者の負担を軽減することができる。
【０２６２】
例えば、採血によりドナーの体調が悪くなった場合は、採取対象ではない血液成分のみならず、採取対象の血液成分をドナーに返還することにより、ドナーの負担を軽減し、その体調を回復させることができる。
【０２６３】
また、例えば、採取した血小板の容量が１００ｍＬ±２０％、個数が１×１０１１〜１．９×１０１１個に満たないものは、５単位製剤にもならならず、従来の血液成分採取装置では、これが無駄になってしまうのに対し、この血液成分採取装置１では、採取対象の血液成分をドナーに返還することにより、採取対象の血液成分が無駄になるのを防止することができる。
【０２６４】
また、この血液成分採取装置１では、血液より分離、採取された濃厚血小板中から、白血球除去フィルター２６１により白血球を分離除去するため、白血球の混入が極めて低い血小板製剤を得ることができる。
【０２６５】
以上、本発明の血液成分板採取装置を、図示の実施形態に基づいて説明したが、本発明はこれに限定されるものではなく、各部の構成は、同様の機能を有する任意の構成のものに置換することができる。また、本発明に、他の任意の構成物や、工程が付加されていてもよい。
【０２６６】
例えば、本発明の血液成分採取装置は、血小板製剤のみを得る（採取対象の血液成分が濃厚血小板（血小板）のみである）血液成分板採取装置、血漿製剤（または血漿分画製剤の原料血漿）のみを得る（採取対象の血液成分が血漿のみである）血液成分板採取装置等にも適用することができる。以下、代表的に、本発明の血液成分採取装置を血漿製剤のみを得る（採取対象の血液成分が血漿のみである）血液成分板採取装置に適用した場合について、前述した血液成分採取装置１との相違点を中心に、簡単に説明する。
【０２６７】
この血漿製剤のみを得る血液成分採取装置では、返血ボタンを押した場合は、表示・操作部１７に、返血後継続ボタン、返血後終了ボタンおよび戻るボタンが、それぞれ、表示され、また、終了ボタンを押した場合は、表示・操作部１７に、返血後終了ボタン、終了ボタンおよび戻るボタンが、それぞれ、表示される。
【０２６８】
そして、前記返血ボタンを押した場合と、終了ボタンを押した場合は、それぞれ、下記（１）、（２）のいずれかの場合は、さらに、血漿返血ボタン（ＰＰＰ返血ボタン）が、表示される。この血漿返血ボタンの操作により、採血を中止する場合の返血において、血漿バッグ２５内に採取された血漿をほぼ全部ドナーに返還するか否かを選択（設定）することができる。
【０２６９】
（１）目標血漿量が０ｍＬまたは最小値（最低値）に設定されている場合
目標血漿量（血漿の目標量）が０ｍＬまたは最小値（最低値）（例えば、５０ｍＬ）に設定されている場合は、さらに、血漿返血ボタンが表示される。
【０２７０】
（２）最終サイクルの返血工程の場合
最終サイクルの返血工程の場合は、目標血漿量の設定値にかかわらず、さらに、血漿返血ボタンが表示される。
【０２７１】
なお、血液成分採取回路２の構成は、前述した血液成分採取装置１と異なるが、これについては、説明を省略する。
【０２７２】
また、本発明の血液成分採取装置は、血小板製剤や血漿製剤を得るのに適用する場合に限らず（採取対象の血液成分は、血小板や血漿に限定されず）、例えば、血液中から白血球製剤、赤血球製剤等を得る場合に適用してもよい（採取対象の血液成分は、白血球や赤血球等であってもよい）。
【０２７３】
また、本発明では、細胞分離フィルター（濾過器）により分離除去する細胞も、白血球に限定されない。
【０２７４】
また、本発明では、供血者からの血液の採取を中止する場合、細胞分離フィルター内を通過した（細胞分離フィルターにより所定の細胞が分離除去された）採取対象の血液成分についても、供血者に返還するように構成されていてもよい。
【０２７５】
また、本発明では、光学式センサは、図示のものに限定されず、例えば、ラインセンサ等であってもよい。
【０２７６】
また、本発明の血液成分採取装置の方式は、間欠式に限らず、例えば、連続式であってもよい。
【図面の簡単な説明】
【０２７７】
【図１】本発明の血液成分採取装置の実施形態を示す斜視図である。
【図２】本発明の血液成分採取装置の実施形態を示す平面図である。
【図３】図１および図２に示す血液成分採取装置が備える遠心分離器駆動装置に遠心分離器が装着された状態の部分破断断面図である。
【図４】図１および図２に示す血液成分採取装置の作用を説明するためのフローチャートである。
【図５】図１および図２に示す血液成分採取装置の作用を説明するためのフローチャートである。
【符号の説明】
【０２７８】
１              血液成分採取装置
２              血液成分採取回路
３              装置本体
１０            遠心分離器駆動装置
１１            第１の送液ポンプ
１２            第２の送液ポンプ
１３            制御部
１４            濁度センサ
１５            光学式センサ
１５１          投光部
１５２          受光部
１５３          反射板
１６            重量センサ
１７            表示・操作部
２０            遠心分離器
２１            第１のライン
２１ａ          採血針側第１ライン
２１ｂ          遠心分離器側第１ライン
２１ｃ          分岐コネクター
２１ｄ          チャンバー
２１ｆ          分岐コネクター
２１ｇ          ポンプチューブ
２１ｈ          チューブ
２１ｉ          フィルター
２２            第２のライン
２２ｂ          分岐コネクター
２２ｃ          分岐コネクター
２２ｄ          分岐コネクター
２２ｅ          分岐コネクター
２２ｆ          フィルター
２２ｇ          分岐コネクター
２２ｈ          フィルター
２３            第３のライン
２３ａ          ポンプチューブ
２３ｂ          除菌フィルター
２３ｃ          気泡除去用チャンバー
２３ｄ          抗凝固剤容器接続用針
２５            血漿採取バッグ
２６            血小板採取バッグ
２６１          白血球除去フィルター
２７ａ          中間バッグ
２７ｂ          エアーバッグ
２８            バッグ
２９            採血針
３１〜３６      気泡センサ
４１〜５１      チューブ
６１            バッグ
７０            カセットハウジング
８１〜８７      第１〜第７の流路開閉手段
１３１          血漿層
１３２          バフィーコート層
１３３          赤血球層
１４１          管体
１４２          ローター
１４３          流入口
１４４          排出口
１４５          上部
１４６          貯血空間
１４７          反射面
２０１          ハウジング
２０２          脚部
２０３          モータ
２０４          回転軸
２０５          固定台
２０６          ボルト
２０７          スペーサー
３０１〜３０３  ハンガー
Ｓ１０１〜Ｓ１２４  ステップ
【図１】
2006000257.tif 000003
【図２】
2006000257.tif 000004
【図３】
2006000257.tif 000005
【図４】
2006000257.tif 000006
【図５】
2006000257.tif 000007